(57)【要約】【課題】本体のケース及び接合点を取り外す必要がなく、点溶接の方式で、導光装置を簡単にＧＢＡ（ＧＡＭＥＢＯＹ  ＡＤＶＡＮＣＥ）本体に結合させることができ、これによって、使用時のおもしろさが増すと同時に、明るさを保って、照明の用途もなすことのできるゲームボーイアドバンス専用導光装置を提供する。【解決手段】本発明のゲームボーイアドバンス専用導光装置は、導光パネルモジュール、接合点等のパーツを含む、前光式導光パネルを利用して、特殊な設計のアダプター（あるいは、電源を含む）を接続することにより、ＧＢＡ（ＧＡＭＥＢＯＹ  ＡＤＶＡＮＣＥ）本体の前部にある通信プレイ用の差し込み、あるいは、その後部にある電池ケースから、直接本体あるいは非本体の電池ケースの電源を引き出し、導光パネルに導くことで、ＧＧＢＡ（ＧＡＭＥＢＯＹ  ＡＤＶＡＮＣＥ）のフロントパネルが光るようにするものである。【選択図】図２
2004166771.tif 000002
【特許請求の範囲】
【請求項１】
ＧＢＡ（ＧＡＭＥＢＯＹ  ＡＤＶＡＮＣＥ）本体の外側ケース及び透明パネルが取り外されて、前光式の導光パネルを代わりにはめ込み、その導光パネルは、導光パネルモジュール及び接合点等のパーツを含んでいて、電源に接続して発光し、また、ＧＢＡ本体前部の通信プレイ用の差し込みにアダプターを取り付けると、ＧＢＡ本体内部の電源から導くことが可能で、そのアダプターには、接合点のある突起片があり、アダプターがＧＢＡ本体に結合した時、その突起片の接合点が、ちょうど導光パネルの接合点に対応して導電し、発光するという特徴を有する、ゲームボーイアドバンス専用導光装置。
【請求項２】
ＧＢＡ（ＧＡＭＥＢＯＹ  ＡＤＶＡＮＣＥ）本体の外側ケース及び透明パネルが取り外されて、前光式の導光パネルを代わりにはめ込み、その導光パネルは、導光パネルモジュール及び接合点等のパーツを含んでいて、電源に憤続して発光し、また、ＧＢＡ本体後部の電池ケースの位置にアダプターが設置されていて、ＧＢＡ本体内部の電源から導くことが可能で、アダプターには、本体及び突起片、ならびに、取り外しの利く電池ケースの蓋がはめ込まれていて、この電池ケースの蓋内側の片側には、一組の突起した接合点があり、電池ケースが閉められると、直接電池の正、負極と接触し、アダプターがＧＢＡ本体と結合すると、その突起片が導光パネルの接合点と接触して導電し、発光するという特徴を有する、ゲームボーイアドバンス専用導光装置。
【請求項３】
アダプター内に電池ケースを内蔵して、導光パネルに電源を供給し、任意に、ゲーム機本体前部あるいは後部に取り付けて、本体の電源ケースからではない電源を供給して、同様に導光パネルを発光させるという特徴を有する、ゲームボーイアドバンス専用導光装置。
【発明の詳細な説明】
【０００１】
【発明の属する技術分野】
本発明はゲームボーイアドバンス専用導光装置に関わる。本発明のゲームボーイアドパンス専用導光装置は、ＧＢＡ（ＧＡＭＥＢＯＹ  ＡＤＶＡＮＣＥ）の本体に取り付けて、照明として使用する装置である。また、使用の際、光を放って美しいので、ゲームのおもしろさが増すという利点がある。
【０００２】
【従来の技術】
現在、人気のあるゲーム機ＧＢＡ（ＧＡＭＥＢＯＹ  ＡＤＶＡＮＣＥ）は、ゲーム機本体が、軽、薄、短、小であるため、そのスクリーンもＬＣＤを採用した小さいものになっている。
【０００３】
【発明が解決しようとする課題】
しかしながら、このタイプのゲーム機の主な消費層は、幼児や児童である。画面が小さく、画質も不鮮明で暗い上、導光機能のないＬＣＤスクリーンは、子供の目を疲れさせ、視カの低下を招くということが考えられる。したがって、この欠点をいかに克服するかが、業界の課題であった。
そこで、業界では、はめ込み式で導光パネルとＧＢＡ（ＧＡＭＥＢＯＹ  ＡＤＶＡＮＣＥ）本体を結合させる方法を発明した。つまり、先にゲーム機本体のケースを取り外し、導光パネルをＬＣＤスクリーンの上に固定し、その授合点を、点溶接の方法で接続するものである。最後に、外側のケースを組み立てて、導光パネルの取り付けが完了する。  しかしながら、この方法は、面倒な上、幼い子供が自分で取り付ける
のは無理である。業者に取り付けを依頼すると、別に費用が必要であり、ＤＩＹを推奨する教育性もなくなってしまう。
【０００４】
【課題を解決するための手段】
本発明のゲームボーイアドバンス専用導光装置は、導光パネルモジュール、接合点等のパーツを含む、前光式導光パネルを利用して、特殊な設計のアダプター（あるいは、電源を含む）を接続することにより、ＧＢＡ（ＧＡＭＥＢＯＹ  ＡＤＶＡＮＣＥ）本体の前部にある通信プレイ用の差し込み、あるいは、その後部にある電池ケースから、直接本体あるいは非本体の電池ケースの電源を引き出し、導光パネルに導くことで、ＧＢＡ（ＧＡＭＥＢＯＹ  ＡＤＶＡＮＣＥ）のフロントパネルが光るようにするものである。本体のケース及び接合点を取り外す必要がなく、点溶接の方式で、導光装置を簡阜に、ＧＢＡ（ＧＡＭＥＢＯＹ  ＡＤＶＡＮＣＥ）本体に結合させることができる。これによって、使用時のおもしろさが増すと同時に、明るさを保って、照明の用途もなすという特徴がある。
【０００５】
【発明の実施の形態】
図１、図２、図３を参照されたい。本発明のゲームボーイアドバンス専用導光装置は、そのＧＢＡ（ＧＡＭＥＢＯＹ  ＡＤＶＡＮＣＥ）本体１の外側ケース及び透明パネル１が取り外されて、前光式の導光パネル２を代わりにはめ込んである。その導光パネル２は、導光パネルモジュール及び憤合点２０等のパーツを含んでいて、電源に接続して発光する。また、ＧＢＡ（ＧＡＭＥＢＯＹ  ＡＤＶＡＮＣＥ）本体１前部の通信プレイ用の差し込み１１にアダプター３を取り付けると、ＧＢＡ（ＧＡＭＥＢＯＹ  ＡＤＶＡＮＣＥ）本休１内部の電源から導くことが可能である。そのアダプター３には、接合点のある突起片３０があり、アダプター３がＧＢＡ（ＧＡＭＥＢＯＹ  ＡＤＶＡＮＣＥ）本
体１に結合した時、その突起片３０の接合点３２が、ちょうど導光パネル２の接合点２０に対応して電気が通じ、発光するようになっている。
【０００６】
実施の際は、ＧＢＡ（ＧＡＭＥＢＯＹ  ＡＤＶＡＮＣＥ）本体１の透明パネル、１を外し、導光パネル２に取り替えるだけである。アダプター３が橋渡しをして、導電作用の役割を果たす。こうして、楽に導光装置の取り付けが完了する。ゲーム機を使用する時、導光パネル２によって照明効果がもたらされ、美しい光が美的効果を高め、新鮮なおもしろさも増す。
【０００７】
図４、図５を参照されたい。本発明のもう一つの実施例である。アダプター３は、ＧＢＡ（ＧＡＭＥＢＯＹ  ＡＤＶＡＮＣＥ）本体１後部の電池ケースの位置に設置されている。アダプター３本体及び突起片３０以外に、取り外しの利＜電池ケースの蓋３１がはめ込まれている。この電池ケースの蓋３１内側の片側には、一組の突起した接合点３３がある。電池ケースが閉められると、直接電池の正、負極と授触し、ゲーム機の電源を導き出す。
【０００８】
導光パネル２の外部接合点２０は、アダプター３の、接合点３２のある突起片３０の位置に対応していて、その下方に来るようになっている。アダプター３が電池ケースの蓋３１によって、ＧＢＡ（ＧＡＭＥＢＯＹ  ＡＤＶＡＮＣＥ）本体１後部の電池ケースに結合すると、その突起片３０が導光パネル２の外部接合点２０と授触して導電するようになっている。
【０００９】
アダプター３をＧＢＡ（ＧＡＭＥＢＯＹ  ＡＤＶＡＮＣＥ）本体１に結合させる時は、まず電池ケースの蓋３１をあらかじめ取り付けて、アダプター３を上に向け、接合点３２の突起片３０を直接導光パネル２の接合点２０と接触させて導電させる。これで導光パネル２が発光して、照明効果と装飾効果が得られる。
【００１０】
図６、図７を参照されたい。本発明は、直接ゲーム機の電源を引き出す方法以外に、アダプター３を本体の電池ケースからではない電源である、内蔵電源による方法も可能である（その内蔵電池ケースは図示されていない）。そのアダプター３は同様に、いつでもＧＢＡ（ＧＡＭＥＢＯＹ  ＡＤＶＡＮＣＥ）本体１の前部、あるいは、後部に取り付けることが可能である。内蔵電源である非本体電池ケース１によらない電源は、突起片３０の接合点３２と導光パネル２の接合点２０が接触して、導電し、発光する。このようにして、同様に、照明効果と装飾効果を持たせることが可能である。
【００１１】
【発明の効果】
本発明のゲームボーイアドバンス専用導光装置には、以下の特徴がある。
１）組み立てが簡単で便利である。旧タイプのゲーム機にも適用でき、自分で取り替えができるので、ＤＩＹの効果もある。
２）通信プレイ用の差し込み、あるいは、本体の電池ケースによって、異なった形式のアダプターを使用することで、直接本体の電源、あるいは、非本体の電源から供給して導光パネルを発光させるので、プラグ・アンド・プレイの効果が望める。
３）ゲーム機に充分な照明効果をもたらし、同時に装飾効果もある。
【図面の簡単な説明】
【図１】従来のＧＢＡ（ＧＡＭＥＢＯＹ  ＡＤＶＡＮＣＥ）本体及び透明パネルの分解図である。
【図２】本発明の、実施例の分解図である。
【図３】本発明の、実施例の組み立て図である。
【図４】本発明の、もう一つの実施例の分解図である。
【図５】本発明の、もう一つの実施例の組み立て図である。
【図６】本発明の、また別の実施例の分解図である。
【図７】本発明の、さらに、異なったもう一つの実施例の分解図である。
【符号の説明】
１  ＧＢＡ（ＧＡＭＥＢＯＹ  ＡＤＶＡＮＣＥ）本体
１０  透明パネル
１１  差し込み
２  導光パネル
２０  接合点
３  アダプター
３０  突起片
３１  電池ケース蓋
３２  接合点
３３  接合点
【図１】
2004166771.tif 000003
【図２】
2004166771.tif 000004
【図３】
2004166771.tif 000005
【図４】
2004166771.tif 000006
【図５】
2004166771.tif 000007
【図６】
2004166771.tif 000008
【図７】
2004166771.tif 000009